【手続補正書】
【提出日】平成17年3月8日(2005.3.8)
【手続補正１】
【補正対象書類名】明細書
【補正対象項目名】０００２
【補正方法】変更
【補正の内容】
【０００２】
【従来の技術】
従来、ＮＴＳＣ(National Television Systems Committee) 方式やＰＡＬ(Phase Alternation by Line) 方式などの標準テレビジョン方式に準拠した撮像装置は、撮像部からインターレース読み出しされた撮像信号を得て、所定の標準テレビジョン方式の映像信号として出力するようになっている。そして、ビデオカセットレコーダ（video cassette recorder; VCR）やカメラ一体型のビデオテープレコーダ（video tape recorder; VTR）いわゆるカムコーダでは、図１１に示すように、固体イメージセンサにより垂直同期信号ＶＤに同期した撮像動作を行い、１フィールド期間を電荷蓄積期間として１フィールド毎に撮像電荷を読み出すことにより得られるインターレースされた撮像信号から生成された所定の標準テレビジョン方式の映像信号による動画像を取り扱うようになっている。また、カムコーダにおいて、静止画を取り扱う場合、インターレース読み出しされた撮像信号は２フィールドで１フレームの画像を構成しているのでフィールド間の時間的なズレが画質劣化となってしまうので、インターレース信号をプログレッシブスキャン信号に変換して、静止画の記録／再生を行うようにしている。
【手続補正２】
【補正対象書類名】明細書
【補正対象項目名】０００３
【補正方法】変更
【補正の内容】
【０００３】
これに対し、静止画専用の電子スチルカメラ等では、プログレッシブスキャン対応の固体イメージセンサから全画素読み出しにより高画質の静止画撮像信号を得て、記録媒体に記録するようになっている。
【手続補正３】
【補正対象書類名】明細書
【補正対象項目名】０００４
【補正方法】変更
【補正の内容】
【０００４】
【発明が解決しようとする課題】
ところで、プログレッシブスキャン対応の固体イメージセンサでは、全画素読み出しにより高画質の静止画撮像信号を得ることができるのであるが、図１２に示すように、１フレーム期間で電荷蓄積を行っているので、動いている被写体を撮像した場合に、ぶれた画像になってしまい、静止画としてはきれいに止まった画像にならないと言った問題点があった。
【手続補正４】
【補正対象書類名】明細書
【補正対象項目名】０００５
【補正方法】変更
【補正の内容】
【０００５】
そこで、本発明の目的は、プログレッシブスキャン対応の固体イメージセンサを用いて動いている被写体を撮像してもぶれのない静止画を得ることができるようにした撮像装置及び撮像方法を提供することにある。
【手続補正５】
【補正対象書類名】明細書
【補正対象項目名】００１２
【補正方法】変更
【補正の内容】
【００１２】
上記撮像部１は、その概略構成を図２に示してあるように、撮像レンズ２１から絞り２２を介して入射される撮像光が入射されるＣＣＤイメージセンサ２３を備え、このＣＣＤイメージセンサ２３により撮像出力として得られる撮像信号がカメラ信号処理回路２４を介して出力されるようになっている。
【手続補正６】
【補正対象書類名】明細書
【補正対象項目名】００１７
【補正方法】変更
【補正の内容】
【００１７】
そして、上記タイミング信号発生器２８は、上記カメラ制御用マイクロコンピュータ２５から与えられる制御信号によって全画素読み出しモードが設定されると、図４に示すように、２フィールド（２Ｖ）すなわち１フレーム周期（１Ｆ）のセンサゲート信号ＳＧと、１水平走査周期（１Ｈ）の垂直転送クロックＣＫＶと、水平ラインにおける画素数に対応する周波数の水平転送クロックＣＫＨを生成して、上記ＣＣＤイメージセンサ２３を全画素読み出しモードで駆動する。
【手続補正７】
【補正対象書類名】明細書
【補正対象項目名】００１８
【補正方法】変更
【補正の内容】
【００１８】
すなわち、全画素読み出しモードでは、上記ＣＣＤイメージセンサ２３の各フォトセンサＳにより得られる各画素の撮像電荷をセンサゲート信号ＳＧによって垂直転送レジスタＶＲに２フィールドすなわち１フレーム期間（１Ｆ）毎に読み出し、上記垂直転送レジスタＶＲに読み出した全画素の撮像電荷を１水平走査期間（１Ｈ）毎に１水平ラインずつ水平転送レジスタＨＲに転送して、各画素の撮像電荷を上記水平転送レジスタＨＲから水平ライン毎に出力部ＳＯを介して撮像信号として出力することにより、全画素の撮像電荷によるプログレッシブスキャン信号として撮像信号を得ることができる。
【手続補正８】
【補正対象書類名】明細書
【補正対象項目名】００２０
【補正方法】変更
【補正の内容】
【００２０】
すなわち、例えば図５に示すように、電子シャッタをＮＴＳＣ方式における１フィールド期間（１／６０秒）に設定して、第１フィールドはすべて電荷を掃き捨てて次の第２フィールドで電荷蓄積を行う。この蓄積された電荷は次の２フィールドすなわちフレームで読み出される。つまり１フィールドの蓄積分だけで読み出すので、インターレースのときと同じ様にぶれた画像にならない。このように、全画素読み出しモードすなわちプログレッシブスキャンにおいては、上記ＣＣＤイメージセンサ２３の電子シャッタ機能を１／６０秒を基本としたシャッタパルスで制御することにより、きれいな静止画を撮影することができる。
【手続補正９】
【補正対象書類名】明細書
【補正対象項目名】００２１
【補正方法】変更
【補正の内容】
【００２１】
また、上記タイミング信号発生器２８は、上記カメラ制御用マイクロコンピュータ２５から与えられる制御信号によってインターレース読み出しモードが設定されると、図６に示すように、１フィールド周期（１Ｖ）のセンサゲート信号ＳＧと、１水平走査期間（１Ｈ）毎に２発連続した垂直転送クロックＣＫＶと、水平ラインにおける画素数に対応する周波数の水平転送クロックＣＫＨを生成して、上記ＣＣＤイメージセンサ２３をインターレース読み出しモードで駆動する。
【手続補正１０】
【補正対象書類名】明細書
【補正対象項目名】００２２
【補正方法】変更
【補正の内容】
【００２２】
すなわち、インターレース読み出しモードでは、上記ＣＣＤイメージセンサ２３の各フォトセンサＳにより得られる各画素の撮像電荷をセンサゲート信号ＳＧによって垂直転送レジスタＶＲに１フィールド期間（１Ｖ）毎に読み出し、上記垂直転送レジスタＶＲに読み出した全画素の撮像電荷を１水平走査期間（１Ｈ）毎に２水平ラインずつ水平転送レジスタＨＲに転送して、垂直ライン上で隣接する２画素分の電荷を上記水平転送レジスタＨＲにおいて加算合成することにより、水平ライン数を１／２に減少させた各画素の撮像電荷を上記水平転送レジスタＨＲから水平ライン毎に出力部ＳＯを介して撮像信号として出力することにより、全画素の撮像電荷からインターレース信号として撮像信号を得ることができる。なお、上記水平転送レジスタＨＲにおいて加算合成する垂直ライン上で隣接する２画素分の電荷の組合せは、奇数フィールドと偶数フィールドで異ならしめるようにする。
【手続補正１１】
【補正対象書類名】明細書
【補正対象項目名】００３５
【補正方法】変更
【補正の内容】
【００３５】
上記制御部１１は、このメモリモードにおいて、上記撮像部１の動作モードを全画素読み出しモードに強制的に切り換える。そして、上記制御部１１は、このメモリモードにおいて、上記静止画撮影用操作ボタン１２Ｃの押圧操作による操作入力データを受け付けると、上記静止画撮影用操作ボタン１２Ｃの１段階目の押圧ポジションにおいて、上記撮像部１によりプログレッシブスキャン信号として得られた撮像信号をキャプチャし、上記表示部６に表示し、さらに、上記静止画撮影用操作ボタン１２Ｃの２段階目の押圧ポジションまで押圧されたときに、上記キャプチャした静止画を上記メモリカード１０に記録する。なお、上記静止画撮影用操作ボタン１２Ｃを２段階目の押圧ポジションまで押圧せずに、押圧を解除すれば、上記メモリカード１０に記録する静止画を選び直すことができる。
【手続補正１２】
【補正対象書類名】明細書
【補正対象項目名】００３６
【補正方法】変更
【補正の内容】
【００３６】
ここで、 上記撮像部１によりプログレッシブスキャン信号として得られる撮像信号は、インターレース信号に対応する表示部６では直接表示することができないので、プログレッシブスキャン信号からインターレース信号に変換して上記表示部６で表示するようになっている。また、このカムコーダ１００では、上記カメラモードにおいて、上記撮像部１の動作モードを全画素読み出しモードに切り換えて撮像動作を行い、上記撮像部１によりプログレッシブスキャン信号として得られる撮像信号をインターレース信号に変換して、上記記録再生部５により記録することができるようになっている。
【手続補正１３】
【補正対象書類名】明細書
【補正対象項目名】００３８
【補正方法】変更
【補正の内容】
【００３８】
ここで、このカムコーダ１００における撮像部１では、２フィールド蓄積のプログレッシブスキャンを行う場合ついて説明したが、図１０に示すように、３フィールド蓄積を行う場合には、電子シャッタ機能を２フィールド（１／３０秒）を基本とするシャッタパルスにより制御すればよい。また、露光量が多くなった場合に絞り２２を閉じる制御を行う代わりに、電子シャッタを１／６０秒から高速側に制御するようにしてもよい。
【手続補正１４】
【補正対象書類名】明細書
【補正対象項目名】００３９
【補正方法】変更
【補正の内容】
【００３９】
【発明の効果】
以上のように、本発明によれば、全画素読み出しモードで撮像信号を出力可能な固体イメージセンサの電子シャッタ機能を標準テレビジョン方式におけるフィールド周期を基本とするシャッタパルスにより制御して、上記固体イメージセンサから全画素読み出しモードで撮像信号を出力させることによって、動いている被写体を撮像してもぶれのないきれいな静止画を得ることができる。
【手続補正１５】
【補正対象書類名】明細書
【補正対象項目名】００４０
【補正方法】変更
【補正の内容】
【００４０】
したがって、本発明によれば、プログレッシブスキャン対応の固体イメージセンサを用いて動いている被写体を撮像してもぶれのない静止画を得ることができるようにした撮像装置及び撮像方法を提供することができる。
【手続補正１６】
【補正対象書類名】明細書
【補正対象項目名】図１２
【補正方法】変更
【補正の内容】
【図１２】
従来のプログレッシブスキャン対応の固体イメージセンサによる撮像動作を示すタイムチャートである。
【手続補正１７】
【補正対象書類名】図面
【補正対象項目名】図６
【補正方法】変更
【補正の内容】
【図６】
2000041192.tif 000001